(57)【特許請求の範囲】
【請求項１】
ロープと貝にあけた孔に差し込みできる細長の基材（１）と、その軸方向両端側の夫々に突設された貝止め突起（２）と、夫々の貝止め突起（２）よりも内側に貝止め突起（２）と同方向にハ字状に突設された２本のロープ止め突起（３）を備えた貝係止具（１１）が基材（１）の間隔をあけて平行に多数本連結されて樹脂成型された連続貝係止具において、前記多数本の貝係止具（１１）がロープ止め突起（３）を同じ向きにして多数本配列され、配列方向に隣接する貝係止具（１１）のロープ止め突起（３）の先端が、他方の貝係止具（１１）の基材から離れて平行に配列され、隣接する基材（１）同士はロープ止め突起（３）の外側が可撓性連結材（１３）で連結されず、ロープ止め突起（３）の内側が２本の可撓性連結材（１３）と一体に樹脂成型されて連結され、可撓性連結材（１３）はロープ止め突起（３）よりも細く且つロール状に巻き取り可能な可撓性を備えた細紐状であり、前記２本の可撓性連結材（１３）による連結箇所は、２本のロープ止め突起（３）の夫々から内側に離れた箇所であり且つ前記２本のロープ止め突起（３）間の中心よりも夫々のロープ止め突起（３）寄りの箇所として、２本の可撓性連結材（１３）を切断すると、その切り残し突起（１６）が２本のロープ止め突起（３）の内側に残るようにしたことを特徴とする連続貝係止具。
【請求項２】
請求項１記載の連続貝係止具において、２本の可撓性連結材（１３）の間隔が、貝係止具（１１）が差し込まれる縦ロープ（Ｃ）の直径よりも広いことを特徴とする連続貝係止具。
【請求項３】
請求項１又は請求項２記載の連続貝係止具（１４）が、シート（１５）を宛がって又は宛がわずに、ロール状に巻かれたことを特徴とするロール状連続貝係止具。
【発明の詳細な説明】
【技術分野】
【０００１】
本発明は帆立貝、真珠貝、牡蠣、その他の貝（以下、まとめて「貝」という）の養殖に使用されるピン状の貝係止具と、２０〜３０本前後の貝係止具を一定間隔で連結して樹脂成型した連続貝係止具と、連続貝係止具をロール状に巻いたロール状連続貝係止具に関するものである。
【背景技術】
【０００２】
帆立貝の養殖方法の一つとして耳吊養殖がある。これは海面近くに横向きに張った横ロープに、多数の帆立貝を取付けた縦ロープを縦向きに取り付けて海中に吊るす方法である。この場合、図１３に示すように縦ロープＣへの貝Ｂの取付けにはピン状の貝係止具Ａが使用されている。貝係止具Ａは樹脂成型されており細長基材の両端の夫々に貝止め突起Ｇがあり、基材の中央部に２本のロープ止め突起Ｅがある。貝係止具Ａは縦ロープＣに差し込み、貝Ｂにあけた孔に差し込んで貝Ｂを貝止め突起Ｇに係止する（特許文献１）。
【先行技術文献】
【特許文献】
【０００３】
【特許文献１】特開２００４−２０８６１９号公報
【発明の概要】
【発明が解決しようとする課題】
【０００４】
海中に吊られた貝Ｂが波を受けて貝係止具Ａを軸として回転したり揺れたりすると、貝係止具Ａの貝止め突起Ｇが捩れて基材の寝床Ｉの上に倒伏し、貝Ｂが貝係止具Ａの貝止め突起Ｇを乗り越えて矢印ａ方向に抜け落ちる（脱落する）ことがあり、場合によっては貝止め突起Ｇが切断して貝Ｂが脱落することがあり、養殖の歩留りが低下し、養殖業者の収益が減収する。
【課題を解決するための手段】
【０００５】
本発明の請求項１記載の連続貝係止具は、ロープと貝にあけた孔に差し込みできる細長の基材１と、その軸方向両端側の夫々に突設された貝止め突起２と、夫々の貝止め突起２よりも内側に貝止め突起２と同方向にハ字状に突設された２本のロープ止め突起３を備えた貝係止具１１が基材１の間隔をあけて平行に多数本連結されて樹脂成型された連続貝係止具において、前記多数本の貝係止具１１がロープ止め突起３を同じ向きにして多数本配列され、配列方向に隣接する貝係止具１１のロープ止め突起３の先端が、他方の貝係止具１１の基材から離れて平行に配列され、隣接する基材１同士はロープ止め突起３の外側が可撓性連結材１３で連結されず、ロープ止め突起３の内側が２本の可撓性連結材１３と一体に樹脂成型されて連結され、可撓性連結材１３はロープ止め突起３よりも細く且つロール状に巻き取り可能な可撓性を備えた細紐状であり、前記２本の可撓性連結材１３による連結箇所は、２本のロープ止め突起３の夫々から内側に離れた箇所であり且つ前記２本のロープ止め突起３間の中心よりも夫々のロープ止め突起３寄りの箇所として、２本の可撓性連結材１３を切断すると、その切り残し突起１６が２本のロープ止め突起３の内側に残るようにしたものである。請求項２記載のように、前記２本の可撓性連結材１３の間隔は、貝係止具１１が差し込まれる縦ロープＣの直径よりも広くすることができる。
【０００６】
本発明のロール状連続貝係止具は請求項３記載のように、連続貝係止具１４が、シート１５を宛がって又は宛がわずに、ロール状に巻かれたものである。
【発明の効果】
【０００７】
本発明の連続貝係止具は、貝係止具１１が多数本、間隔をあけて配置されると共にロール状に巻回可能な可撓性連結材１３で連結されて樹脂成型されているので、貝係止具が数千、数万本と多くなっても、ロール状に巻回して保管、搬送、ピンセッターへのセットができ、コンパクトにまとまるため保管に場所をとらず取り扱いに便利である。
【０００８】
本発明の連続貝係止具は、隣接する貝係止具１１の２本のロープ止め突起３間が２本の可撓性連結材１３で連結され、２本の可撓性連結材１３は貝係止具１１が差し込まれる縦ロープＣの直径よりも広い間隔で２本のロープ止め突起３寄り箇所を連結するので、貝係止具１１を一本ずつ切断するときに可撓性連結材１３の一部が図８（ｂ）のように切り残し突起１６となって基材１に残って基材１から突出しても、図８（ａ）のように貝係止具１１を縦ロープＣへ差し込むときに切り残し突起１６が邪魔にならず、縦ロープＣが２本のロープ止め突起３間におさまり安定する。又、貝係止具１１を手で持って貝へ差し込むときに手（指）が切り残し突起１６に当たらないため手が損傷したり、薄い手袋を手に嵌めて前記差込作業をしても手袋が破れたりしにくい。
【０００９】
本発明のロール状連続貝係止具は、連続貝係止具１４がロール状に巻かれているので、保管、搬送、ピンセッターへのセットができ、コンパクトになるため保管に場所をとらず、取り扱いに便利である。また、シート１５を宛がわずにロール状に巻くと巻かれた多数本の貝係止具１１の貝止め突起２同士が絡まったり、基材１の端部が曲がったりして、引き出しにくいとか、一本ずつ分離しにくくなるといったことがあるが、シート１５を宛がえばそのようなことはなく、連続貝係止具１４の巻き戻し(引き出し)がスムースになり、自動ピンセッターでの切断、差込作業が容易になる。
【図面の簡単な説明】
【００１０】
【図１】（ａ）は貝係止具の参考例の側面図、（ｂ）は（ａ）の平面図。
【図２】（ａ）〜（ｄ）は貝係止具の異なる参考例の貝係止部の部分側面図。
【図３】（ａ）は貝係止具の他の参考例の貝係止部の部分平面図、（ｂ）は（ａ）の側面図。
【図４】（ａ）は貝係止具の異なる参考例の貝係止部の部分側面図、（ｂ）は（ａ）の斜視図。
【図５】（ａ）、（ｂ）は貝係止具の異なる参考例の貝係止部の部分側面図。
【図６】（ａ）〜（ｃ）は貝係止具の異なる参考例の貝係止部の部分側面図。
【図７】集合貝係止具の参考例の側面図。
【図８】（ａ）は本発明の連続貝係止具の一例の側面図、（ｂ）は（ａ）から分離した貝係止具の側面図。
【図９】（ａ）は連続貝係止具の参考例の側面図、（ｂ）は（ａ）から分離した貝係止具の側面図。
【図１０】（ａ）は連続貝係止具の他の参考例の側面図、（ｂ）は（ａ）から分離した貝係止具の側面図。
【図１１】連続貝係止具の他の参考例の側面図。
【図１２】（ａ）は本発明のロール状連続貝係止具の一例の斜視図、（ｂ）はボビンに巻いたロール状連続貝係止具の一例の側面図。
【図１３】従来の貝係止具の使用の一例の斜視図。
【発明を実施するための形態】
【００１１】
（貝係止具の参考例１）
本発明の貝係止具の参考例を図１（ａ）（ｂ）を参照して説明する。この貝係止具１１は海中に吊るす縦ロープＣ（図１３）のように貝Ｂの耳にあけた孔に差し込み可能な細長いピン状の基材１のほぼ中央部にロープ止め突起３が２本突設され、ロープ止め突起３よりも外側の両端部（差し込み端部）４寄りの位置に貝の抜けを防止する貝止め突起２が突設され、これら基材１、貝止め突起２、ロープ止め突起３が一体に樹脂成型されている。
【００１２】
図１（ａ）（ｂ）の基材１の形状は丸ピンであるが、その形状は角ピン、他の形状とすることができる。図１（ａ）（ｂ）の基材１は両端部４を先細りに成型して貝の孔に差し込み易くしてある。基材１のうち貝止め突起２と対向する面（基材内面）には基材１の中央部の外周面よりも一段低い凹部（寝床）１７を設けて、貝係止具１１を貝の孔に差し込むときに貝止め突起２が寝床１７に押し倒されて貝止め突起２の部分が縦ロープＣ（図１３）内を貫通し易くなるようにしてある。差し込み時に倒れた貝止め突起２は縦ロープＣを貫通し終えたときも、貝の孔を貫通し終えたときも自己の弾性と復元力で自動的に起立して倒伏する前の元の状態に復元できる。
【００１３】
２本のロープ止め突起３は縦ロープＣに差し込んだ貝係止具１１が縦ロープＣから抜けるのを阻止するためのものであり、基材１の外周に内向き斜めに突設されてハ字状になっている。図１のロープ止め突起３は基材１の長手方向中央部の外径よりもやや細い丸棒状であるが、それ以外の形状、例えば、三角や四角の棒状とか楕円形の棒状等とすることもでき、太さもそれ以外とすることができる。
【００１４】
貝止め突起２は図２（ａ）に明示するように立ち上り部分（根元側）６から基材中央部側に向けて円弧状に湾曲して突設され、先端部５が下向きに湾曲している。先端部５は図２（ｂ）〜（ｄ）のように肉薄にして、海中に吊るしておくと自然に内側に曲がり易くなるようにしてあり、図２（ｂ）では内面が、図２（ｃ）では内面と外面の両面が、図２（ｄ）では外面が肉薄に形成されている。本発明における貝止め突起２の曲率半径は図示したものよりも大きくても小さくても、また、緩くても急でもよい。さらに、根元側６の曲率半径も図示したものより大きくても小さくてもよい。また、貝止め突起２の長さも貝が抜けない任意長に設定することができる。なお、貝止め突起２は薄片状とか他の形状にすることができる。これらは以下いずれの実施形態でも同様である。
【００１５】
（貝係止具の参考例２）
図３（ａ）（ｂ）に示すものは根元側６から基材中央部側に向けて円弧状に湾曲して突設された貝止め突起２の長さ方向任意箇所の幅方向両側に、内側に窪んだ幅狭部７を設けて海中に吊るしておく間に先端部５がその幅狭部７から内側に折れ曲がり易くなるようにしてある。幅狭部７は貝止め突起２の幅方向片側からだけ窪ませて成型することもできる。
【００１６】
幅狭部７は貝止め突起２の長手方向軸方向２ヶ所以上に間隔をあけて設けることもでき、この場合は貝止め突起２の幅方向片側ずつに交互に設けることもできる。片側ずつに交互に設ければ２ヶ所以上の幅狭部７で曲がるため貝が脱落しにくくなる。又、幅方向両側の同じ位置に設けた場合よりも幅狭部７の幅が狭くならず幅狭部７の強度も必要以上に低下しない。この場合、幅狭部７の内面又は外面を幅狭部７の幅方向に沿って肉薄にして幅狭部７がその肉薄部分から内側又は外側に曲がり易くすることもできる。
【００１７】
（貝係止具の参考例３）
図４（ａ）（ｂ）に示す実施形態では、根元側６から基材中央部側に向けて円弧状に湾曲して突設された貝止め突起２の中央部よりも先端寄り箇所の内側面９に肉薄部１０を成型して、海中に吊るしておく間に先端側５が肉薄部１０から内側に折れ曲がり易くしてある。肉薄部１０は貝止め突起２の外側面８に設けることもできる。
【００１８】
（貝係止具の参考例４）
図５（ａ）（ｂ）に示す実施形態では、根元側６から基材中央部側に向けて円弧状に湾曲して突設された貝止め突起２の先端側５を中央部よりも先端寄りの箇所から基材１側に（下向きに）前記湾曲角度よりも急な角度で曲げてある。曲げる角度は湾曲角度よりも急であれば任意角度とすることができ、図５（ａ）のような屈曲でも、それよりも緩やかではあるが前記湾曲角度よりも急な角度での湾曲でもよい。先端側５は基材１と反対側（外側）に曲げることもできる。いずれの場合も曲げ角度を急（鋭角）にすると、貝の孔に基材を差し込むときに先端側５が邪魔になって差し込みにくくなるため緩やかな角度に屈曲或は湾曲させて貝止め突起２の部分が貫通し易くなり、貫通してから貝が脱落しにくくなるようにするのがこの好ましい。
【００１９】
内側に曲げた先端側５の曲がり部１８の幅方向両側に内側に窪む窪みを形成して幅狭部を形成すれば基材１を貝の孔に差し込むときにその先端側５が幅狭部から逆方向に反って先端側５が真っ直ぐになり易くなり基材１を差し込み易くなる。先端側５は貫通後は真っ直ぐになる前の曲がった状態に自動的に復帰して曲がるため貝が脱落しにくくなる。
【００２０】
図５（ｂ）に示す実施形態は、貝止め突起２の先端側５を基材１側に（下向きに）前記湾曲角度よりも急な角度で下向きに曲げ、更に、その曲がり部分の内面に肉薄部１０を貝止め突起２の幅方向に沿って成型して、貝の孔に差し込むと下向きの先端側５が邪魔して貝が脱落しないようにしてある。
【００２１】
図６（ａ）に示す実施形態は、貝止め突起２の根元側６を緩やかに基材１の外側に立ち上げてから先端側５を次第に下向き円弧状に湾曲させて突設し、その曲がり部１８の内面に肉薄部１０を貝止め突起２の幅方向に沿って成型したものである。肉薄部１０を成型して、貝止め突起２が貝の孔を貫通するときに先端側５が肉薄部１０から伸びて貝止め突起２部分が孔にスムースに差し込まれ、貝止め突起２が貝の孔を貫通すると先端側５が下向きに復帰して貝脱落の邪魔をして貝が脱落しないようにしてある。
【００２２】
図６（ｂ）に示す実施形態は貝止め突起２の根元側６を緩やかに基材１の外側に立ち上げ、先端側５を次第に下向き円弧状に湾曲させ、先端側５のうち曲がり部１８の先の内側面９と外側面８を肉薄に成型して、貝止め突起２が貝の孔を貫通するときに先端側５が肉薄部から伸びて貝止め突起２部分が孔にスムースに差し込まれ、貝止め突起２が貝の孔を貫通すると先端側５が下向きに復帰して貝脱落の邪魔をして貝が脱落しないようにしてある。図６（ｃ）に示す実施形態は基本的には図６（ｂ）のものと同じであり、異なるのは貝止め突起２の先端側５の内面８だけを肉薄にしたことである。
【００２３】
（貝係止具の参考例５）
本発明の貝係止具は図９（ｂ）のように基材１のロープ止め突起３の反対側に補助ロープ止め突起２０を突設したものでもよい。補助ロープ止め突起２０はロープ止め突起３よりも短くしてあり、ロープ止め突起３の根元の内側でその先端とほぼ同じ位置に同じ間隔で突設されている。
【００２４】
（貝係止具の参考例６）
本発明の貝係止具は図１０（ｂ）のように基材１のロープ止め突起３の内側を台形状に窪ませ、その凹陥部２１の内側に補助ロープ止め突起２０を突設したものでもよい。この場合も、補助ロープ止め突起２０はロープ止め突起３よりも短くして凹陥部２１の内側に突出するか、凹陥部２１よりもわずかに外側まで突出する程度の長さにしてある。補助ロープ止め突起２０の突設位置はロープ止め突起３の根元の内側で且つロープ止め突起３の先端とほぼ同じ位置に突設されている。
【００２５】
（集合貝係止具の参考例）
本発明の集合貝係止具は図７に示すように前記実施形態の貝係止具１１を間隔をあけて多数本平行に配置し、それら貝係止具１１の両端をレール状の剛性連結材１２で連結して樹脂成型して一枚の集合貝係止具としたものである。剛性連結材１２は太い角棒状にして剛性を持たせて、隣接する貝係止具１１の間隔が変形しにくくなるようにすると共に、全体も変形しにくくなるようにしてある。剛性連結材１２は角棒以外の形状とすることができるが角棒にすると自動切断差込機にセットする場合に横向きにして上下に積層したり、縦向きにして前後或は左右に重ねて配置したりするときに安定する。集合する貝係止具１１の本数は任意とすることができるが、作業性、形状保持性等の面から２０〜３０本程度が望ましい。
【００２６】
（連続貝係止具の実施形態１）
本発明の連続貝係止具は図８（ａ）のように前記実施形態の貝係止具１１を間隔をあけて数千〜数万本平行に配置し、上下に隣接する貝係止具１１の基材１間を丸紐状の可撓性連結材１３で連結して樹脂成型して図１２（ａ）（ｂ）のようにロール状に巻くことができるようにしたものである。図８（ａ）の場合はハ字状の２本のロープ止め突起３の間を２本の可撓性連結材１３で連結してあり、しかも、２本の可撓性連結材１３をロープ止め突起３寄り箇所に配置して、２本の可撓性連結材１３の間隔を縦ロープＣの直径よりも広くしてある。このようにすると貝係止具１１を一本ずつ切断する場合に可撓性連結材１３の一部が切り残されて図８（ｂ）のように基材１に切り残し突起１６が発生しても、それが縦ロープＣへの差込時に邪魔になることがない。また、一本ずつ切断された貝係止具１１を貝の孔に差し込むために手で持っても切り残し突起１６の部分が手に当たらないため手が怪我したり、手に嵌めた作業用手袋が破れたりしにくい。
【００２７】
（連続貝係止具の参考例１）
図９（ａ）に示す連続貝係止具は図９（ｂ）の実施形態の貝係止具を、間隔をあけて数千〜数万本平行に配置し、それら貝係止具１１のロープ止め突起３の先端と補助ロープ止め突起２０の先端間を薄片の可撓性連結材２２で連結成型してロール状に巻くことができるようにしたものである。この場合、ロープ止め突起３の先端と補助ロープ止め突起２０の先端は薄片の可撓性連結材で連結せずに直接連結成型してもよい。
【００２８】
（連続貝係止具の参考例２）
図１０（ａ）に示す連続貝係止具は、図１０（ｂ）の貝係止具１１を間隔をあけて数千〜数万本平行に配置し、それら貝係止具１１のロープ止め突起３の先端と補助ロープ止め突起２０の先端間を薄片の可撓性連結材２２で連結成型してロール状に巻くことができるようにしたものである。この場合、ロープ止め突起３の先端と補助ロープ止め突起２０の先端は薄片の可撓性連結材で連結せずに直接連結成型してもよい。
【００２９】
（連続貝係止具の参考例３）
図１１に示す連続貝係止具は図１（ａ）の構造の貝係止具１１を間隔をあけて数千〜数万本平行に配置し、それら貝係止具１１の２本のロープ止め突起３とその外側の貝止め突起２の間を丸紐状の可撓性連結材１３で連結成型して図１３のようにロール状に巻くことができるようにしてある。
【００３０】
可撓性連結材１３はロール状に巻くことができるものであれば前記実施形態以外の形状とすることができ、例えばテープ状の薄長片、角棒状や横長楕円の細長紐等とすることもできる。また、可撓性連結材１３での連結箇所もロール状に巻くことができる位置であれば任意に選択することができる。例えば、図１１のように間隔をあけて配置された貝係止具１１の両端部先端間を図１１の仮想線で示すように細紐状の可撓性連結材１３で連結成型することもできる。
【００３１】
（ロール状連続貝係止具の実施の形態）
本発明のロール状連続貝係止具は、図８（ａ）、図９（ａ）、図１０（ａ）、図１１の連続貝係止具１４を図１２（ａ）のようにロール状に巻いたものである。この場合、連続貝係止具１４に帯状のシート(シートより薄いフィルムを含む)１５を添わせてロール状に巻いて、連続貝係止具１４の巻層間にシート１５を介在させてある。シート１５には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１５の幅は連続貝係止具１４の幅と同程度のものが好ましい。シート１５を介在させずに巻くこともできる。
【００３２】
本発明の連続貝係止具１４は図１２（ｂ）のように巻胴２３の両端に鍔２４を設けたボビン２５の巻胴２３にロール状に巻くこともできる。ボビン２５は肉厚の紙製、樹脂製、木製等とすることができる。紙製の場合は使い捨てに適し、樹脂製、木製等の場合は再使用するのに適する。ボビン２５に巻く連続貝係止具１４の間にはシート１５を介在させても介在させなくともよい。
【００３３】
本発明の連続貝係止具の使用方法は種々あるが、一例としてはロール状に巻いた連続貝係止具１４をほどいてその一端を自動切断差し込み機にセットし、自動切断差し込み機により自動的に貝係止具１１を一本ずつ切り離して縦ロープＣに差し込み、ロープ止め突起３で縦ロープＣから抜けないようにする。縦ロープＣに差し込んだ貝係止具１１の端部４を貝の耳に開口してある孔に差し込んで貝止め突起２をその孔を貫通させ、貝の耳を貝止め突起２によって係止する。貝係止具の長手方向他端を同様に貝の孔に差し込んで貝止め突起２に貝の耳を係止する。
【符号の説明】
【００３４】
１  基材
２  貝止め突起
３  ロープ止め突起
４  基材の端部
５  先端側
６  根元側
７  幅狭部
８  貝止め突起の外側面
９  貝止め突起の内側面
１０  肉薄部
１１  貝係止具
１２  剛性連結材
１３  可撓性連結材
１４  連続貝係止具
１５  シート
１６  切り残し突起
１７  寝床
１８  曲がり部
２０  補助ロープ止め突起
２１  凹陥部
２２  可撓性連結材
２３  巻胴
２４  鍔
２５  ボビン
Ｃ  縦ロープ
【図１】
0004802252.tif 000002
【図２】
0004802252.tif 000003
【図３】
0004802252.tif 000004
【図４】
0004802252.tif 000005
【図５】
0004802252.tif 000006
【図６】
0004802252.tif 000007
【図７】
0004802252.tif 000008
【図８】
0004802252.tif 000009
【図９】
0004802252.tif 000010
【図１０】
0004802252.tif 000011
【図１１】
0004802252.tif 000012
【図１２】
0004802252.tif 000013
【図１３】
0004802252.tif 000014